(57)【要約】【課題】ユーザの健康面に支障をきたすことなく、使用する際の手順を簡素化して利便性を格段と向上させることができる携帯用うがい具を提供する。【解決手段】少なくとも１回分のうがいに用いるうがい液２を収容した第１の容器２０と、使用後のうがい液２を廃棄するための吸水剤３を収容した第２の容器３０とを有する携帯用うがい具１であって、第１の容器２０は、第２の容器３０の外周部３０ａに一体かつ離脱可能に設けられるようにした。【選択図】図１
2011120700.tif 000002
【特許請求の範囲】
【請求項１】
少なくとも１回分のうがいに用いるうがい液を収容した第１の容器と、
使用後の前記うがい液を廃棄するための吸水剤を収容した第２の容器と
を有する携帯用うがい具であって、
前記第１の容器は、前記第２の容器の外周部に一体かつ離脱可能に設けられる
ことを特徴とする携帯用うがい具。
【請求項２】
前記第１の容器と前記第２の容器とが、連結部材を介して連結される
ことを特徴とする請求項１に記載の携帯用うがい具。
【請求項３】
前記第２の容器は、折りたたみ可能に形成される
ことを特徴とする請求項１または２に記載の携帯用うがい具。
【請求項４】
少なくとも１回分のうがいに用いるうがい液を収容した第１の収容部と、
使用後の前記うがい液を廃棄するための吸水剤を収容した第２の収容部と
を設けた容器を有する携帯用うがい具であって、
前記第１の収容部は、前記容器における前記第２の収容部と隔離されて配設され、
前記うがい液は、所定の吸引手段を介して外部に放出される
ことを特徴とする携帯用うがい具。
【請求項５】
前記所定の吸引手段は、
前記容器の外部から直接前記第１の収容部へ連通して設けられる吸水路と、
前記第１の収容部に収容された前記うがい液を吸引するためのチューブ状部材と
の少なくとも一方を備え、
前記吸水路のみを備える場合、前記第１の収容部に収容されたうがい液を、当該吸水路を介して外部へ放出させ、
前記吸水路および前記チューブ状部材を備える場合、前記第１の収容部に収容されたうがい液を、当該吸水路を挿通して前記第１の収容部へ到達するチューブ状部材を介して外部へ放出させ、
前記チューブ状部材のみを備える場合、前記第１の収容部に収容されたうがい液を、前記外部から前記第２の収容部に接触することなく直接前記第１の収容部へ到達する当該チューブ状部材を介して外部へ放出させる
ことを特徴とする請求項４に記載の携帯用うがい具。
【請求項６】
前記所定の吸引手段が前記吸水路を備える場合、
前記吸水路における外部側端部は、前記容器における外部側端部より突出して形成される
ことを特徴とする請求項５に記載の携帯用うがい具。
【請求項７】
前記容器は、折りたたみ可能に形成される
ことを特徴とする請求項４乃至６のいずれか１項に記載の携帯用うがい具。
【発明の詳細な説明】
【技術分野】
【０００１】
本発明は、携帯用うがい具に関し、特に、使用する場所を特定することのない携帯用うがい具に適用して好適なものである。
【背景技術】
【０００２】
近年、口腔ケアのみならず、口や鼻からの様々な感染症を未然に防止する観点から、うがいが着目されている。このように、ウイルスを殺菌する効果を求めるうがいに際しては、コップ等の容器と、殺菌作用を有する薬液などの液体、すなわち口腔洗浄剤などを液体化した口腔洗浄液とを備えたうがい具が必要であった。このとき、殺菌作用を有する液体としては、粉末状やペースト状等の口腔洗浄剤を水に溶いて使用するようにしてもよい。
【０００３】
ところが、上述したうがい具は一般的にコンパクト性に欠けることから、外出時などの臨時的にうがいをしたい場合、携帯して持ち運ぶには不便であったため、特許文献１乃至３に開示されるような容器が開発されていた。この場合、密閉された容器内に口腔洗浄剤が収容され、または折りたたまれた容器内に口腔洗浄剤が塗布され、かかる容器内に水を注ぐことによって口腔洗浄液を生成して、うがいを可能にしていた。
【０００４】
しかし、前記特許文献１乃至３の容器では、口腔洗浄液を生成するために水が必要であることや、かかる口腔洗浄液は、うがいを行った後に吐き出して処理しなければならないことなどの観点から、洗面所などの排水設備のある場所が必要であった。このため、これらの容器では、上述したような設備を有する場所に使用が限定され、排水設備のない緊急の使用や不特定な場所での使用が困難であった。
【０００５】
かかる問題を解決するべく、特許文献４に開示されているように、口腔洗浄液が入った内容器を、高分子吸収体を内側に貼りめぐらせた外容器の中に内蔵した口腔洗浄液内蔵の携帯用使い捨て容器が開発されている。
【先行技術文献】
【特許文献】
【０００６】
【特許文献１】特開平１０−１８１７８０号公報
【特許文献２】登実第３０６１１８４号公報
【特許文献３】特開２００８−１２７２８４号公報
【特許文献４】特開２０００−１１６６７８号公報
【発明の概要】
【発明が解決しようとする課題】
【０００７】
しかしながら、前記特許文献４に記載の容器において、口腔洗浄液が入った内容器は、使用後（すなわち、うがいを行った後）の口腔洗浄液を吸水するための吸水剤である高分子吸収体を、内側に貼りめぐらせた外容器の中に内蔵させた構造であった。
【０００８】
従って、携帯性には優れているものの、内容器を外容器から取り出すためには、外容器に設けられた切り込みなどを利用して開封する手間が生じ、使用時における手順を煩雑にして利便性に欠けた未だ不十分な問題があった。
【０００９】
また、外容器の内側に貼りめぐらせた高分子吸収体は、生成される成分によって内容器の外側に付着することも考えられる。このため、該内容器に高分子吸収体が付着していた場合、ユーザが口腔洗浄液を口に含む際に、かかる高分子吸収体を誤って一緒に口に含んでしまう可能性があり、ユーザの健康面に支障をきたすおそれが否めない問題もあった。
【００１０】
そこで、本発明は、上述したような問題点に鑑みてなされたものであり、ユーザの健康面に支障をきたすことなく、使用する際の手順を簡素化して利便性を格段と向上させることができる携帯用うがい具を提供しようとするものである。
【課題を解決するための手段】
【００１１】
（１）本発明は、
少なくとも１回分のうがいに用いるうがい液を収容した第１の容器と、
使用後の前記うがい液を廃棄するための吸水剤を収容した第２の容器と
を有する携帯用うがい具であって、
前記第１の容器は、前記第２の容器の外周部に一体かつ離脱可能に設けられる
ことを特徴とする携帯用うがい具である。
【００１２】
（２）本発明はまた、
前記第１の容器と前記第２の容器とが、連結部材を介して連結される
ことを特徴とする前記（１）記載の携帯用うがい具である。
【００１３】
（３）本発明はさらに、
前記第２の容器は、折りたたみ可能に形成される
ことを特徴とする前記（１）または（２）記載の携帯用うがい具である。
【００１４】
（４）本発明は、
少なくとも１回分のうがいに用いるうがい液を収容した第１の収容部と、
使用後の前記うがい液を廃棄するための吸水剤を収容した第２の収容部と
を設けた容器を有する携帯用うがい具であって、
前記第１の収容部は、前記容器における前記第２の収容部と隔離されて配設され、
前記うがい液は、所定の吸引手段を介して外部に放出される
ことを特徴とする携帯用うがい具である。
【００１５】
（５）本発明はまた、
前記所定の吸引手段は、
前記容器の外部から直接前記第１の収容部へ連通して設けられる吸水路と、
前記第１の収容部に収容された前記うがい液を吸引するためのチューブ状部材と
の少なくとも一方を備え、
前記吸水路のみを備える場合、前記第１の収容部に収容されたうがい液を、当該吸水路を介して外部へ放出させ、
前記吸水路および前記チューブ状部材を備える場合、前記第１の収容部に収容されたうがい液を、当該吸水路を挿通して前記第１の収容部へ到達するチューブ状部材を介して外部へ放出させ、
前記チューブ状部材のみを備える場合、前記第１の収容部に収容されたうがい液を、前記外部から前記第２の収容部に接触することなく直接前記第１の収容部へ到達する当該チューブ状部材を介して外部へ放出させる
ことを特徴とする前記（４）記載の携帯用うがい具である。
【００１６】
（６）本発明はさらに、
前記所定の吸引手段が前記吸水路を備える場合、
前記吸水路における外部側端部は、前記容器における外部側端部より突出して形成される
ことを特徴とする前記（５）記載の携帯用うがい具である。
【００１７】
（７）本発明はさらに、
前記容器は、折りたたみ可能に形成される
ことを特徴とする前記（４）乃至（６）のいずれか１つに記載の携帯用うがい具である。
【発明の効果】
【００１８】
本発明によれば、うがい液と吸水剤とをそれぞれ隔離して設けるようにしたことにより、以下のような優れた効果を奏し得る。すなわち、ユーザが使用する際に直接第１の容器（第１の収容部）にアプローチすることができるため、ユーザは手間取ることなくすぐにうがい液を口に含むことができる。これと共に、第１の容器（第１の収容部）に対し第２の容器（第２の収容部）に収容された吸水剤が付着することを未然に回避することができ、ユーザがうがい液を口に含む際に、吸水剤を誤飲することを確実に防止することができる。かくして、ユーザの健康面に支障をきたすことなく、使用する際の手順を簡素化して利便性を格段と向上させることができる携帯用うがい具を実現することができる。
【図面の簡単な説明】
【００１９】
【図１】本発明の第１の実施例における携帯用うがい具の概略構成を示す斜視図である。
【図２】図１の携帯用うがい具を折りたたんだ状態を示す概略構成図である。
【図３】本発明の第２の実施例における携帯用うがい具の概略構成を部分的に透視して示す斜視図である。
【図４】図３の携帯用うがい具における断面を示す断面図である。
【図５】図３の携帯用うがい具においてチューブ状部材を用いた場合の概略構成を部分的に透視して示す斜視図である。
【図６】本発明の第２の実施例における携帯用うがい具において吸水路を設けない場合の概略構成を部分的に透視して示す斜視図である。
【図７】本発明の第２の実施例における携帯用うがい具において吸水路を設けない場合の概略構成を部分的に透視して示す斜視図である。
【発明を実施するための形態】
【００２０】
以下、本発明を実施するための形態について、添付図面を参照しながら実施例を挙げて説明する。なお、以下の説明において、周知の手法、周知の手順、周知の構造等（以下、これらを総じて周知事項と称す）については、その細部にわたる説明を割愛するが、これは説明を簡潔にするためであって、これら周知事項のすべてまたは一部を意図的に排除するものではない。かかる周知事項は、本発明の出願時点で当業者の知り得るところであるので、以下の説明に当然含まれている。
【実施例１】
【００２１】
〔第１の実施例〕
図１は、本発明による携帯用うがい具の第１の実施例における概略構成を示す斜視図である。また、図１との対応部分に同一符号を付した図２は、図１の携帯用うがい具を折りたたんだ状態を示す概略構成図である。
【００２２】
図１に示すように、本発明の携帯用うがい具１は、少なくとも１回分のうがいに用いるうがい液２を収容した第１の容器２０と、使用後のうがい液２を廃棄するための吸水剤３を収容した第２の容器３０とを有している。この場合、携帯用うがい具１において、第１の容器２０は、第２の容器３０の外周部３０ａに一体かつ離脱可能に設けられている。また、これら第１の容器２０と第２の容器３０とには、一端側を第１の容器２０に他端側を第２の容器３０にそれぞれ接続された連結部材としての紐４が設けられ、該紐４によって第１の容器２０と第２の容器３０とが連結されている。
【００２３】
本実施例の場合、うがい液２は、水（蒸留水やミネラルウォータなど）や、水溶性のうがい薬などからなる。より具体的には、一般的な殺菌消毒作用を有するうがい薬と同様に主成分として、ポビドンヨード、塩化セチルピリジニウム、グルコン酸クロルヘキシジン、塩化ベンゼトニウムなどを含むものが好ましい。
【００２４】
一方、吸水剤３は、高吸水ポリマーなどの高吸水性高分子からなり、必要最低限（すなわち、１回分のうがい液２を吸収し得る程度）の量が第２の容器３０内に充填、または、該第２の容器３０の内壁３０ｂに塗布されている。
【００２５】
ここで、第１の容器２０は、例えば円筒状の形状をなしており、キャップ２１との間に設けられた切取部２０ａに沿って当該キャップ２１を切り取ることにより、内部に収容したうがい液２を外部へと放出し得るようになっている。なお、ここでは、第１の容器２０が円筒状の形状である場合について述べるが、本発明はこれに限らず、第１の容器２０の形状としては、少なくとも１回分のうがい液２を収容し得るものであれば、この他、角柱形状や種々の形状を広く適用することができる。
【００２６】
また、第１の容器２０は、第２の容器３０の外周部３０ａに対し、アクリル樹脂系材料等からなる粘着性の低い接着剤等を介して接着されているため、ユーザが容易に引き離せるようになっている。さらに、かかる第１の容器２０は、ユーザによって第２の容器３０から引き離された場合でも、紐４によって第２の容器３０と連結されている。これにより、第２の容器３０から第１の容器２０を離脱させて、つまり、第２の容器３０から第１の容器２０を引き離して使用する際に、該第１の容器２０が無くなってしまったり、散乱させてしまったりすることを未然に防止することができるようになっている。
【００２７】
これに加えて、かかる携帯用うがい具１においては、第２の容器３０が円錐の頂点側を折り曲げて形成された底部を有するコーヒーフィルタ状の形状をなしている。また、該第２の容器３０は、直径方向の両端部における側面、すなわち底部側から上端部側にかけて折り目を有しており、図２に示すように、この折り目に沿って少なくとも当該直径方向に対し直交する方向に折りたたみ可能な構造となっている。従って、当該携帯用うがい具１は、より一層コンパクト化することができ、携帯する際の利便性を一段と向上させ得るようになっている。
【００２８】
次に、かかる携帯用うがい具１の使用法について説明する。ユーザは、先ず本実施例の携帯用うがい具１における第１の容器２０を第２の容器３０から引き離す。次に、ユーザは、該第１の容器２０のキャップ２１を切取部２０ａに沿って切り取ることにより開封し、内部に収容されたうがい液２を口に含ませ、うがいを行う。
【００２９】
そして、ユーザは、折りたたまれた第２の容器３０を広げ、該第２の容器３０内にうがいに使用したうがい液２を吐き出す。すると、吐き出されたうがい液２は、第２の容器３０内に収容された吸水剤３に吸収されるため、当該うがい液２が第２の容器３０からこぼれる心配はない。このようにして使用された携帯用うがい具１は、再びユーザによって折りたたまれることによりコンパクトになり、廃棄の際に嵩張ることも防止することができる。なお、折りたたまれた第２の容器３０は先に広げても良く、そのタイミングはユーザの好みで構わない。
【００３０】
以上、説明したように、本実施例の携帯用うがい具１によれば、第１の容器２０が第２の容器３０の外周部３０ａに一体かつ離脱可能に設けられているので、ユーザが使用する際に直接第１の容器２０を手に取ることができ、手間取ることなくすぐにうがい液２を口に含ませることができる。すなわち、従来のように、第２の容器３０を開封して第１の容器２０を取り出すような手間を省く（煩雑さを解消する）ことができる。また、第１の容器２０は、第２の容器３０の外周部３０ａに設けられている（つまり、うがい液２と吸水剤３とをそれぞれ隔離して設けている）ため、第２の容器３０に収容された吸水剤３に触れることはなく、当該第１の容器２０に吸水剤３が付着することを未然に回避することができる。従って、ユーザがうがい液２を口に含む際に、吸水剤３を誤飲することを確実に防止することができる。かくして、ユーザの健康面に支障をきたすことなく、使用する際の手順を簡素化して利便性を格段と向上させることができる携帯用うがい具１を実現することができる。
【００３１】
〔第２の実施例〕
図３は、本発明による携帯用うがい具における第２の実施例において、後述する吸引手段としての吸水路のみを備える場合の概略構成を示す斜視図である。また、図３との対応部分に同一符号を付した図４は、図３の携帯用うがい具における断面を示す断面図である。さらに、図３との対応部分に同一符号を付した図５は、図３の携帯用うがい具において、吸引手段としてチューブ状部材も加えて備える場合の概略構成を部分的に透視して示す斜視図である。さらに、図３との対応部分に同一符号を付した図６は、本発明による携帯用うがい具における第２の実施例において、後述する吸引手段としてチューブ状部材のみを備える場合の概略構成を示す斜視図である。
【００３２】
なお、以下の第２の実施例における携帯用うがい具の説明に際し、断面図としては、便宜上、携帯用うがい具が吸引手段として吸水路のみを備える場合についてのみ図示することとする。
【００３３】
因みに、第２の実施例における携帯用うがい具１０において使用されるうがい液２および吸水剤３は、上述した第１の実施例における携帯用うがい具１において使用されるうがい液２および吸水剤３とほぼ同様である。これと共に、第２の実施例における携帯用うがい具においても、図示省略するが、第１の実施例と同様に、折りたたむことができ、折りたたみ方法としては、上述した第１の実施例における携帯用うがい具１とほぼ同様である。
【００３４】
さて、図３に示すように、本発明の携帯用うがい具１０は、少なくとも１回分のうがいに用いるうがい液２を収容した第１の収容部１１と、使用後のうがい液２を廃棄するための吸水剤３を収容した第２の収容部１２とを設けた容器１３を有している。
【００３５】
この場合、図４に示すように、第１の収容部１１は、容器１３における第２の収容部１２よりも底部側に当該第２の収容部１２と隔壁１３ａによって隔離されて配設され、うがい液２は、後述する所定の吸引手段（吸水路１４またはチューブ状部材としてのストロー１５）を介して外部に放出されるようになっている。
【００３６】
また、第２の収容部１２は、側面を容器１３の内壁および後述する吸水路１４によって隔離され、上面部分はうがい液２によって溶解可能な材料（例えば、オブラートなど）からなる薄膜１３ｂによって覆われており、容器１３内から飛散することを防止されている。
【００３７】
ここで、所定の吸引手段は、図３、図５または図６に示すように、容器１３の外部から直接第１の収容部１１へ連通して設けられる吸水路１４と、第１の収容部１１に収容されたうがい液２を吸引するためのチューブ状部材であるストロー１５との少なくとも一方によって構成されている。
【００３８】
そして、吸水路１４のみを備える場合、図３に示すように、第１の収容部１１に収容されたうがい液２を、当該吸水路１４を介して外部へ放出させる。この場合、少なくとも第１の収容部１１と吸水路１４とのいずれか一方に、うがい液２が零れることを防止するための蓋（図示省略する）が必要となる。現実的には、吸水路１４の後述する端部１４ａに蓋やキャップを設けることが好ましい。
【００３９】
また、吸水路１４およびストロー１５の両者を備える場合、図５に示すように、第１の収容部１１に収容されたうがい液２を、当該吸水路１４を挿通して第１の収容部１１へ到達するストロー１５を介して外部へ放出させる。
【００４０】
一方、ストロー１５のみを備える場合、図６に示すように、第１の収容部１１に収容されたうがい液２を、外部から第２の収容部１２に接触することなく、直接第１の収容部１１へ到達する当該ストロー１５を介して外部へ放出させるようになっている。この場合、第２の収容部１２は、ストロー１５を第１の収容部１１に穿通させ易いように、第１の収容部１１より僅かに小さく形成されることが好ましい。
【００４１】
このように、携帯用うがい具１０においては、使用に際して吸引手段、すなわち吸水路１４およびまたはストロー１５がうがい液２を吸水剤３から隔離した状態を保ちつつ、ユーザの口まで運ぶことによって、ユーザが吸水剤３を誤飲することを確実に防止することができる。加えて、ユーザは、面倒な手順を踏むことなく吸水路１４またはストロー１５を介して容易にうがい液２を口に含むことができる。
【００４２】
因みに、かかる携帯用うがい具１０において、吸引手段として吸水路１４を備える場合、吸水路１４における外部側端部１４ａは、容器１３における外部側端部より突出して形成されることが好ましい。これにより、ストロー１５を用いる場合には、吸水路１４の突出した端部１４ａがストロー１５を当該吸水路１４の内部に導いて挿通させ易くすることができる。これと共に、ストロー１５を用いない場合、ユーザは吸水路１４の突出した端部１４ａを直接ストロー代わりに使用して、うがい液２を簡単に吸引することができる。
【００４３】
次に、本実施例の携帯用うがい具１０の使用法について説明する。容器１３が吸水路１４のみを有する場合、ユーザは、先ず折りたたまれた容器１３を広げ、次いで吸水路１４の端部１４ａに設けられたキャップを外し、該端部１４ａをストロー代わりに使用してうがい液２を吸引してうがいを行う。そして、うがい後に使用したうがい液２を容器１３内に排出することで薄膜１３ｂが溶解し、この排出されたうがい液２を吸水剤３が吸収する。このため、当該うがい液２が容器１３からこぼれる心配はない。このようにして使用された携帯用うがい具１０は、再びユーザによって折りたたまれることによりコンパクトになり、廃棄の際に嵩張ることも防止することができる。
【００４４】
また、容器１３が吸水路１４およびストロー１５の両者を有する場合、ユーザは、先ず折りたたまれた容器１３を広げ、吸水路１４の端部１４ａに設けられたキャップを外す。次いで、該端部１４ａ内にストロー１５を挿通させて第１の収容部１１に収容されたうがい液２を、ストロー１５を介して吸引しうがいを行う。そして、うがい後に使用したうがい液２を容器１３内に排出することで薄膜１３ｂが溶解し、この排出されたうがい液２を吸水剤３が吸収する。このため、当該うがい液２が容器１３からこぼれる心配はない。このようにして使用された携帯用うがい具１０は、再びユーザによって折りたたまれることによりコンパクトになり、廃棄の際に嵩張ることも防止することができる。
【００４５】
さらに、容器１３がストロー１５のみを有する場合、ユーザは、先ず折りたたまれた容器１３を広げ、外部から第２の収容部１２に接触することなく、直接第１の収容部１１へストロー１５を穿通させる。次いで、該ストロー１５を介してうがい液２を吸引しうがいを行う。そして、うがい後に使用したうがい液２を容器１３内に排出することで薄膜１３ｂが溶解し、この排出されたうがい液２を吸水剤３が吸収する。このため、当該うがい液２が容器１３からこぼれる心配はない。このようにして使用された携帯用うがい具１０は、再びユーザによって折りたたまれることによりコンパクトになり、廃棄の際に嵩張ることも防止することができる。
【００４６】
以上、説明したように、本実施例の携帯用うがい具１０によれば、ユーザが使用する際に吸水路１４およびまたはストロー１５によって直接第１の収容部１１からうがい液２にアプローチすることができ、手間取ることなくすぐにうがい液２を口に含ませることができる。すなわち、従来のように、容器（外容器）を開封してうがい液の収容された内容器を取り出す手間を省く（煩雑さを解消する）ことができる。また、うがい液２を収容した第１の収容部１１が吸水剤３を収容した第２の収容部１２と隔離されている（つまり、うがい液２と吸水剤３とがそれぞれ隔離して設けられている）ため、ユーザがうがい液２を口に含む際に、吸水剤３を誤飲することを確実に防止することができる。かくして、ユーザの健康面に支障をきたすことなく、使用する際の手順を簡素化して利便性を格段と向上させることができる携帯用うがい具１０を実現することができる。
【００４７】
以上、本発明を実施するための形態について第１および第２の実施例を用いて説明したが、本発明はこうした実施例に何等限定されるものではなく、本発明の要旨を逸脱しない範囲内において種々の変形及び置換を加えることができる。
【００４８】
例えば、上述した第１および第２の実施例においては、第２の容器３０（容器１３）が直径方向の両端部における側面に折り目を有し、この折り目に沿って少なくとも当該直径方向に対し直交する方向に折りたたみ可能な構造となっている場合について述べたが、本発明はこれに限らず、例えば、図２に示すように折りたたんだ後、上述した直径における略中央部分に該直径方向に対してさらに垂直方向に新たな折り目を設けても良く、この場合、該新たな折り目に沿って折りたたむことにより、図２のように折りたたんだ第２の容器３０（容器１３）を、直径方向における略半径の大きさにまでコンパクト化することを実現できる。
【００４９】
なお、上述した第２の実施例においては、第２の収容部１２の上面部分が、オブラートからなる薄膜１３ｂによって覆われている場合について述べたが、本発明はこれに限らず、要は、うがい液２によって溶解可能な材料からなる薄膜１３ｂであれば、その材料は、この他種々の材料を広く適用することができる。
【００５０】
また、上述した第２の実施例においては、第１の収容部１１が容器１３内において、第２の収容部１２よりも底部側に配設されるようにした場合について述べたが、本発明はこれに限らず、例えば、底部の中心に向かって下る傾斜を設け、かかる中心部分に第２の収容部１２を設け、その周囲に第１の収容部１１を設けるようにしても良く、または第１の収容部１１と第２の収容部１２との接触する面に傾斜を設けて、これら第１および第２の収容部１１、１２とが同一層内において第１の収容部１１が底部側、第２の収容部１２が上方側となるように斜めに形成しても良い。
【００５１】
さらに、図６との対応部分に同一符号を付した図７に示すように、第２の収容部１２を略半ホール状に形成し、外気と触れる部分に関しては、うがい液２によって溶解可能な薄膜で覆うようにしても良い。この場合、ユーザが使用後のうがい液２を容器１３内に排出することにより、容器１３が如何なる向きにおいても第２の収容部１２の薄膜が溶解し得るため、当該排出されたうがい液２を吸水剤３が確実に吸収することができる。
要は、容器１３内にユーザが使用後のうがい液２を排出した際に、該排出されたうがい液２によって第２の収容部１２の薄膜１３ｂが溶解し、該うがい液２を吸収することができれば、第１および第２の収容部１１、１２の形状は、この他種々の形状を広く適用することができる。
【産業上の利用可能性】
【００５２】
本発明の携帯用うがい具は、医薬品製造業等に利用可能である。なお、使用される外観、重量、サイズ、殺菌性能等は問わない。
【符号の説明】
【００５３】
１、１０…携帯用うがい具
２…うがい液
３…吸水剤
４…紐（連結部材）
１１…第１の収容部
１２…第２の収容部
１３…容器
１３ａ…隔壁
１３ｂ…薄膜
１４…吸水路
１４ａ…端部
１５…ストロー（チューブ状部材）
２０…第１の容器
２０ａ…切取部
２１…キャップ
３０…第２の容器
３０ａ…外周部
３０ｂ…内壁
【図１】
2011120700.tif 000003
【図２】
2011120700.tif 000004
【図３】
2011120700.tif 000005
【図４】
2011120700.tif 000006
【図５】
2011120700.tif 000007
【図６】
2011120700.tif 000008
【図７】
2011120700.tif 000009